(57)【特許請求の範囲】
【請求項１】
電線の端部を接続する電力供給対象物を取り付けたキャビネットにおいて、
前記電力供給対象物を収納保持する貫通穴を有する取り付け部と、
前記取り付け部の内壁面を覆う柔軟性のある第１不燃材と、
前記貫通穴と連通するキャビネット本体の開口部を覆う柔軟性のある第２不燃材と、
前記電線を貫通させるように前記第２不燃材に設けたスリットと、
を備えたことを特徴とするキャビネット。
【請求項２】
前記第１不燃材と第２不燃材を一体に形成したことを特徴とする、請求項１に記載のキャビネット。
【請求項３】
電力供給対象物を取り付ける取り付け部の内壁面を覆うように柔軟性のある第１不燃材を取り付け、
前記取り付け部が有する貫通穴と連通するようにキャビネット本体に形成された開口部を覆うように柔軟性のある第２不燃材を取り付け、
電線を前記第２不燃材に設けたスリットに挿通してキャビネット本体の外部より内部に引き入れ、
前記電線を前記電気供給対象物に電気的に接続し、
前記電気供給対象物を前記取り付け部に取り付けることを特徴とするキャビネットの施工方法。
【発明の詳細な説明】
【技術分野】
【０００１】
本発明は、電線の端部に接続される電力供給対象物を取り付ける取り付け部を有し、例えば台所用電化製品等の電気機器を収納するのに有用なキャビネット及びキャビネットの施工方法に関するものである。
【背景技術】
【０００２】
近年、この種のキャビネットは、安全性を高め、収納した電気機器を保護し、キャビネットの汚れや腐食を防止する工夫がなされるようになっている。
【０００３】
そして、このようなキャビネットは、台所用電化製品等の電気機器を収納するキャビネット本体の前面に開閉するドア体を設け、このドア体の裏面側近傍でキャビネット本体内にコンセントを前面に向かって設け、ドア体を閉めたまま使用することを排除する技術が開示されている（例えば特許文献１参照）。
【特許文献１】特開平９−８４６４３号（段落（００２６）、図１）
【発明の開示】
【発明が解決しようとする課題】
【０００４】
係る特許文献１に記載のキャビネットによると、ドア体を閉めたまま台所用電化製品等の電気機器を使用することを排除することができ、キャビネット本体内に蒸気などが充満して、電気機器に支障をきたしたり、キャビネット本体内が汚れたり、腐ったりする恐れを防止することができる。
【０００５】
しかしながら、このような特許公報記載のキャビネットの場合、コンセントと電線との接触不良によって出火した場合、或いはキャビネット本体の開口部を外部から内部に貫通してこのキャビネット本体内に設けたコンセントに接続された電線が貫通部で損傷しこの損傷部から出火した場合、この出火に基づくキャビネット本体への延焼を防止することができない。
【０００６】
具体的に説明すると、キャビネット本体は通常、木材等の可燃材で作られており、家屋内の設置場所において、家屋の壁面から出ている電線をキャビネット本体の開口部を外部から内部に貫通させてコンセントに接続している。このため、コンセントに対する接続後、接触不良等でコンセントと電線の接続部から出火した場合、キャビネット本体に延焼する恐れがある。
【０００７】
また、家屋内の所定位置に設置するために、キャビネット本体を左右、前後に移動させるとき、家屋の壁面から出ている電線位置とキャビネット本体の開口部とが一致していないため、電線が開口部の縁で擦れて損傷し、この損傷部から出火した場合、キャビネット本体に延焼する恐れがあるという問題が生じていた。
【０００８】
また、電線の貫通部に耐火構造を施す考えはあるが、その構造が複雑であり、施工にも非常に手間がかかる。そして、この構造をコンセントボックスに適用すると、コンセントボックスが大型化するという問題があった。
【０００９】
本発明の目的は、接触不良等で電力供給対象物と電線との接続部から出火した場合、又はキャビネット本体の開口部を外部から内部に貫通した電線が貫通部から出火した場合のいずれにおいてもキャビネット本体への延焼を簡単かつ確実に防止することのできるキャビネット及びキャビネットの施工方法を提供することにある。
【課題を解決するための手段】
【００１０】
上述した課題を解決するために、本発明の請求項１に係るキャビネットは、
電線の端部を接続する電力供給対象物を取り付けたキャビネットにおいて、
前記電力供給対象物を収納保持する貫通穴を有する取り付け部と、
前記取り付け部の内壁面を覆う柔軟性のある第１不燃材と、
前記貫通穴と連通するキャビネット本体の開口部を覆う柔軟性のある第２不燃材と、
前記電線を貫通させるように前記第２不燃材に設けたスリットと、
を備えたことを特徴としている。
【００１１】
また、本発明の請求項３に係るキャビネットの施工方法は、
電力供給対象物を取り付ける取り付け部の内壁面を覆うように柔軟性のある第１不燃材を取り付け、
前記取り付け部が有する貫通穴と連通するようにキャビネット本体に形成された開口部を覆うように柔軟性のある第２不燃材を取り付け、
電線を前記第２不燃材に設けたスリットに挿通してキャビネット本体の外部より内部に引き入れ、
前記電線を前記電気供給対象物に電気的に接続し、
前記電気供給対象物を前記取り付け部に取り付けることを特徴としている。
【発明の効果】
【００１２】
本発明に係るキャビネットによると、接触不良等で電力供給対象物と電線との接続部から出火した場合、又はキャビネット本体の開口部を外部から内部に貫通した電線が貫通部から出火した場合のいずれにおいてもキャビネット本体への延焼を簡単かつ確実に防止することのできるキャビネット及びキャビネットの施工方法を提供することができる。
【発明を実施するための最良の形態】
【００１３】
本発明を実施するための最良の形態を説明するのに先立って、本発明の作用及び効果について説明する。
【００１４】
本発明に係るキャビネットによると、電力供給対象物と電線との接続部から接触不良等によって出火しても、電力供給対象物の周囲は取り付け部の内壁面に設けられた第１不燃材で覆われているので、キャビネット本体への延焼が防止される。
【００１５】
また、キャビネット本体を所定位置に設置するために移動させたとき、家屋の壁面から出ている電線位置がキャビネット本体の開口部と合致していなくても、開口部は電線が第２不燃材のスリット内を移動できる大きさに形成されているので、電線は開口部の縁に接触して損傷するようなことがなく、第２不燃材のスリット内を移動することができる。また、第２不燃材は柔軟性があるため、電線が開口部の縁で擦れて損傷することを防止することができる。
【００１６】
また、スリットにおいて電線が配置されていない部分は、柔軟性を有する第２不燃材によって、隙間無く覆われている。すなわち、第２不燃材のスリットは、通常時は隙間無く覆われており、電線を貫通させる場合、電線は柔軟性のある第２不燃材を押し退けるようにしながらスリットを貫通するため、電線が位置する以外の部分においては、スリットは隙間無く覆われた状態である。そのため、電力供給対象物と電線との接続部から発火した場合においても、キャビネットの外側に火が漏れ出ることはなく、キャビネット本体への延焼が防止される。
【００１７】
これによって、キャビネットは、収納した台所用電化製品等の電気機器使用時に、キャビネット本体に取り付けた電力供給対象物と電線との接続部或いはキャビネット本体を貫通した電線の貫通部から出火しても、第１不燃材及び第２不燃材で確実に延焼を防止することができる。
【００１８】
好ましくは、本発明に係るキャビネットは、一体に形成された第１不燃材と第２不燃材を有するのが良い。
【００１９】
第１不燃材と第２不燃材を一体に形成することによって、第１不燃材及び第２不燃材を簡単かつ無駄なく作成することができると共に、キャビネット本体の取り付け部及び背面板に対する取り付け作業が簡単かつ迅速に行うことができるようになる。
【００２０】
また、本発明に係るキャビネットの施工方法によると、キャビネット本体に対する電力供給対象物の取り付け及び電力供給対象物に対する電線の電気的接続を、キャビネット本体の設置場所において簡単かつ容易に行うことができると共に、電力供給対象物と電線との接続部から接触不良等によって万一出火しても、キャビネット本体に対する延焼を確実に防止することができる。
【００２１】
以下、本発明の一実施形態に係るキャビネットについて図面に基づいて説明する。図１は出荷時のキャビネット本体１０を示す正面図であり、図２はその出荷時のキャビネット本体１０を示す斜視図である。図３はキャビネット本体１０の取り付け部４０に電力供給対象物３０を取り付ける工程を示す斜視図である。図４は取り付け部４０に電力供給対象物３０を取り付けたキャビネット本体１０を正面より示す斜視図であり、図５は図４のキャビネット本体１０を背面より示す斜視図である。また、図６は電力供給対象物３０を取り付けた取り付け部４０を正面より示す縦断斜視図であり、図７は電力供給対象物３０を取り付けた取り付け部４０を背面より示す縦断斜視図である。図８は取り付け部４０の内壁面を覆うように取り付ける柔軟性のある第１不燃材５０を示す取り付け前の斜視図であり、図９はキャビネット本体１０の開口部を覆うように取り付ける柔軟性のある第２不燃材６０を示す取り付け前の斜視図である。また、図１０は第１不燃材５０と第２不燃材６０を一体に作成した状態の平面図であり、図１１は一体に作成した第１不燃材５０と第２不燃材６０の一方、第１不燃材５０を施工状態に形成した斜視図である。
【００２２】
図１及び図２に示すように、本実施形態におけるキャビネット本体１０は、下部に左右開閉式の扉１１を有する収納部を有し、この収納部の上面を台所用電化製品等の電気機器の載置空間１２としている。そして、この載置空間１２の奥側のキャビネット本体１０の内壁面に電力供給対象物３０の取り付け部４０が設けられている。
【００２３】
この取り付け部４０は図６、図７に示すように、電力供給対象物３０を収納できるようにこの電力供給対象物と略同一深さを有する筒体４１をキャビネット本体１０の内壁面に接着剤、ビス等の固定具で取り付けたものである。また、この筒体４１の貫通穴４２に連通するようにキャビネット本体１０の背面板１３にこのキャビネット本体を内外に貫通して開口部１４を設けている。
【００２４】
台所用電化製品等の電気機器としては、図示を省略したが例えば炊飯器、湯沸しポット、電子レンジ、電気オーブン等である。また、電力供給対象物３０としては、例えばコンセント、ライトスイッチ、蒸気排出ユニット等である。
【００２５】
なお、電力供給対象物を取り付け部に取り付けた場合、電力供給対象物と電線とが接続された部分である接続部は、取り付け部の内部に位置することとなる。
【００２６】
電力供給対象物３０の取り付け部４０である筒体４１は、その内壁面を覆うように柔軟性のある第１不燃材５０を取り付ける。この柔軟性のある第１不燃材５０は例えばロックウールと称されるフェルト状、布状の柔軟性のある不燃材である。
【００２７】
また、キャビネット本体１０の背面板１３の外面には、開口部１４を覆うように柔軟性のある第２不燃材６０が取り付けられ、この第２不燃材６０には電線７０を貫通させるスリット６１が設けられている。この第２不燃材６０も上記第１不燃材５０と同様にロックウールと称されるフェルト状、布状の柔軟性のある不燃材である。
【００２８】
図面は、スリット６１を１本設けた場合を示しているが、上下に平行して複数設けたり、傾斜させて設けたりしても良い。また、このスリット６１の長さは、貫通させた電線が開口部１４の縁に接触することなく移動できるように、開口部１４の口径より小さく形成されている。
【００２９】
続いて、係るキャビネット本体に対する電力供給対象物３０の取り付け手順について具体的に説明する。キャビネット本体は図１、図２に示すように、取り付け部４０に電力供給対象部３０を取り付けることなく出荷される。
【００３０】
そして、家屋内の設置場所において、まず、取り付け部４０、即ち筒体４１の内壁面を覆うようにこの内壁面に柔軟性のある第１不燃材５０を取り付ける。この取り付け方は、図８に示すように、短冊形に作成した第１不燃材５０を点線５１の位置より折り曲げ、図１１に示すように円筒状に丸めて筒体４１の内壁面に密接させて設け、ビス等の不燃性の締結具で筒体４１に締結固定する。
【００３１】
また、筒体４１の貫通穴４２と連通するキャビネット本体１０の背面板１３に設けられた開口部１４は、背面板１３の外面に取付けた柔軟性のある第２不燃材６０で覆われる。この取り付け方は、図９に示すように、短冊形に作成し中央部にスリット６１を設けた第２不燃材６０を、キャビネット本体１０の背面板１３の外面に貫通穴１４を覆うように設け、ビス等の不燃性の締結具で背面板１３に締結固定する。
【００３２】
次いで、家屋の壁面から出ている配電用の電線７０を、図３、図４に示すようにスリット６１を外部から内部に貫通させてキャビネット本体１０内に引き入れ、電力供給対象物３０に電気的に接続する。接続後は電線７０の余剰部分をスリット６１から押し出しながら、電力供給対象物３０を取り付け部４０の筒体４１に押し込んで図５から図７に示すように取り付ける。このとき、電力供給対象物３０と電線７０とが接続した部分である接続部は、取り付け部４０の内部に位置する。
【００３３】
本実施形態におけるキャビネット本体１０はこのような構造を有しているので、出荷時は電力供給対象物３０を取り付けておらず、電線等の出っ張りもなく搬送作業が容易である。そして、キャビネット本体１０を設置場所に搬送した後は、キャビネット本体１０の取り付け部４０、即ち筒体４１の内壁面に柔軟性のある第１不燃材５０を不燃性の締結具で取り付ける。また、キャビネット本体１０の背面板１３には、柔軟性のある第２不燃材６０を不燃性の締結具で取り付けて開口部１４を覆って密閉する。
【００３４】
また、電力供給対象物３０に電線７０を接続後、キャビネット本体１０を所定位置に設置するために移動させたとき、家屋の壁面からの電線７０の引き出し位置とキャビネット本体１０の開口部１４が合致していなくても、キャビネット本体１０の開口部１４の口径がスリット６１の長さより大きいので、電線７０はスリット６１内を左右に移動することができると共に、この移動時に電線７０が開口部１４の縁に接触して損傷することがない。
【００３５】
また、第２不燃材６０は柔軟性があるため、電線７０がスリット６１内を移動する時に擦れても損傷することはない。
【００３６】
また、第２不燃材６０のスリット６１は、何も貫通されていない状態においては隙間無く覆われた状態であり、スリット６１の電線７０が貫通した部分以外は柔軟性のある第２不燃材６０によって隙間無く覆われている。そのため、電源供給対象物３０と電線７０とが接続されている接続部から、接触不良等によって出火した際にも、キャビネット本体１０の後方にスリット６１から火が漏れ出ることはなく、キャビネット本体１０への延焼が防止される。
【００３７】
図１０、図１１は、第１不燃材５０と第２不燃材６０を一体に形成したもので、ロックウール等のフェルト状、布状の柔軟性の不燃材を図１０に示す形態に切断加工すると共に、同時に第２不燃材６０にスリット６１を形成したものである。
【００３８】
そして、第１不燃材５０は図１１に示すように円筒状に丸めて、取り付け部４０、即ち筒体４１に挿入してこの筒体の内壁面に密着させ、筒体４１に不燃性の締結具で取り付け固定する。また、第２不燃材６０は第１不燃材５０との境界線位置８０で図１１に示す矢印方向に折り曲げて、キャビネット本体１０の背面板１３の開口部１４を覆い、両側部６２Ｒ，６２Ｌを背面板１３の外面に不燃性の締結具で締結固定する。
【００３９】
このように、第１不燃材５０と第２不燃材６０を一体に形成することで、第１不燃材５０及び第２不燃材６０を簡単かつ無駄なく作成することができる。また、取り付け部４０、背面板１３に対する取り付け作業が簡単かつ迅速に行うことができる。
【００４０】
なお、本実施形態では、第１不燃材５０で取り付け部４０、即ち筒体４１の内壁面を覆い、第２不燃材６０でキャビネット本体１０の背面板１３の開口部１４を覆う構成について説明したが、筒体４１の貫通穴４２と背面板１３の開口部１４とを略同径に形成し、第１不燃材５０の幅Ｗを貫通穴４２の幅ａと背面板１３の板厚ｂの和（Ｗ＝ａ＋ｂ）とすれば、第１不燃材５０を筒体４１の内壁面に装着することで、開口部１４の内周面も第１不燃材５０で覆うことができる。このように構成することで、接触不良等に起因する電力供給対象物３０と電線７０とが接続された部分からの出火、電線７０からの出火があっても、その出火に基づくキャビネット本体１０に対する延焼をより効果的に防止することができる。
【００４１】
また、本実施形態では、キャビネット本体１０の背面板１３に開口部１４を設けた構成について説明したが、電力供給対象物３０をキャビネット本体１０の側板に設けると共に開口部１４も側板に設けた場合にも本発明を適用することができる。
【００４２】
以上説明したように、本発明がこのようなキャビネットの構造を有することで、電力供給対象物と電線とが接続された接続部から接触不良等によって出火しても、電力供給対象物及び電力供給対象物と電線とが接続された接続部の周囲は取り付け部の内壁面に設けられた第１不燃材で覆われているため、キャビネット本体への延焼を防止できる。
【００４３】
また、キャビネット本体を所定位置に設置するために移動させたとき、家屋の壁面からの電線の引き出し位置とキャビネット本体の開口部が合致しなくても、開口部は電線が第２不燃材のスリット内を移動できる大きさに形成されているので、電線は開口部の縁に接触して損傷するようなことがなく、第２不燃材のスリット内を移動することができる。また、第２不燃材は柔軟性があるため、電線がスリット内を移動する時に擦れても損傷することはない。
【００４４】
また、第２不燃材のスリットは、何も貫通されていない状態においては隙間無く覆われた状態であり、スリットの電線が貫通した部分以外は柔軟性のある第２不燃材によって隙間無く覆われている。そのため、電源供給対象物と電線とが接続されている接続部から、接触不良等によって出火した際にも、キャビネット本体の背面側にスリットから火が漏れ出ることはなく、キャビネット本体への延焼が防止される。
【００４５】
これによって、キャビネットは、収納した台所用電化製品等の電気機器使用時に、キャビネット本体に取り付けた電力供給対象物と電線との接続された部分からの出火或いはキャビネット本体を貫通してこの電力供給対象物に接続した電線の貫通部からの出火の何れの場合も第１不燃材及び第２不燃材で確実にキャビネット本体への延焼を防止することができる。
【図面の簡単な説明】
【００４６】
【図１】出荷時のキャビネットを示す正面図である。
【図２】図１に示した出荷時のキャビネットを示す斜視図である。
【図３】キャビネットの取り付け部に電力供給対象物を取り付け工程を示す斜視図である。
【図４】取り付け部に電力供給対象物を取り付けたキャビネットを正面より見た斜視図である。
【図５】図４のキャビネットを背面より見た斜視図である。
【図６】電力供給対象物を取り付けた取り付け部を正面より示す縦断斜視図である。
【図７】電力供給対象物を取り付けた取り付け部を背面より示す縦断斜視図である。
【図８】取り付け部の内壁面を覆うように取り付ける柔軟性のある第１不燃材を示す取り付け前の斜視図である。
【図９】キャビネットの後方の開口部を覆うように取り付ける柔軟性のある第２不燃材を示す取り付け前の斜視図である。
【図１０】第１不燃材と第２不燃材を一体に作成した状態の平面図である。
【図１１】図１０の一体に作成した第１不燃材を施工状態に形成した斜視図である。
【符号の説明】
【００４７】
１０    キャビネット
１１    扉
１２    設置空間
１３    背面板
１４    開口部
３０    電力供給対象物
４０    取り付け部
４１    筒体
４２    貫通穴
５０    第１不燃材
６０    第２不燃材
７０    電線
８０    境界線位置
【図１】
0004941835.tif 000002
【図２】
0004941835.tif 000003
【図３】
0004941835.tif 000004
【図４】
0004941835.tif 000005
【図５】
0004941835.tif 000006
【図６】
0004941835.tif 000007
【図７】
0004941835.tif 000008
【図８】
0004941835.tif 000009
【図９】
0004941835.tif 000010
【図１０】
0004941835.tif 000011
【図１１】
0004941835.tif 000012